(57)【要約】【課題】網にタイルを取り付け、景観を良くすることができる金網用タイル取付部材、金網装飾タイルおよび植栽フェンスを提供する。【解決手段】台座１０とその背面に設けられた爪２０、３０とからなり、爪２０、３０が下方に開口しており、爪２０、３０の下端に突起２１、３１が設けられており、爪２０、３０は台座１０の上縁に設けられた上爪２０と、下縁に設けられた下爪３０とからなり、上爪２０は上下方向に長尺である金網用タイル取付部材Ａである。台座１０にタイル１２を嵌め込むと金網装飾タイルＢとなる。この金網装飾タイルＢを金網Ｃに取り付けると、タイルの意匠効果により金網Ｃの景観を良くすることができる。金網装飾タイルＢは金網Ｃの任意の位置に取り付けることができるので、金網Ｃにタイルによるデザインを施した植栽フェンスとすることができる。【選択図】図２
2010168784.tif 000002
【特許請求の範囲】
【請求項１】
タイルを嵌め込む台座と金網線材を係止する爪とからなり、
前記爪は前記台座の背面に設けられている
ことを特徴とする金網用タイル取付部材。
【請求項２】
前記爪の上端が前記台座背面に結合され、下方に開口しており、
前記爪の下端、もしくは該下端に対向する台座背面、もしくは該下端と該台座背面の両方に、金網線材係止用の突起が設けられており、
前記爪は前記台座の上縁に設けられた上爪と、下縁に設けられた下爪とからなり、
前記上爪は上下方向に長尺であり、前記下爪は上下方向に短尺である
ことを特徴とする請求項１記載の金網用タイル取付部材。
【請求項３】
前記台座の背面側部に、金網線材に当接するピンが設けられている
ことを特徴とする請求項２記載の金網用タイル取付部材。
【請求項４】
前記台座が矩形であり、
前記台座の背面上縁に前記上爪が２つ設けられており、
前記台座の背面下縁に前記下爪が２つ設けられており、
前記台座の背面側部に前記ピンが左右２つずつ設けられている
ことを特徴とする請求項３記載の金網用タイル取付部材。
【請求項５】
前記台座が矩形であり、
前記台座の四隅の角が取れている
ことを特徴とする請求項１記載の金網用タイル取付部材。
【発明の詳細な説明】
【技術分野】
【０００１】
本発明は、金網用タイル取付部材、金網装飾タイルおよび植栽フェンスに関する。さらに詳しくは、金網にタイルを取り付けて、景観を良くするための金網用タイル取付部材、金網装飾タイルおよび、それにより装飾された植栽フェンスに関する。
【背景技術】
【０００２】
従来、市街地の緑化や景観の向上のために、金網などのフェンスに植栽を施した植栽フェンスを用いることが多くある。
この植栽フェンスの従来技術の一例として特許文献１がある。図９に示すように、特許文献１の植栽フェンス１０２は、フェンス１０２の下部が曲折されて溝状の保持部１２２が設けられており、その保持部１２２に植物またはその種子と植栽基盤、肥料、保水材が一体化された緑化材１０３が保持されたものである。この緑化フェンス１０２の施工後、緑化材１０３から植物１３１が成長しフェンス１０２に絡まることによって植栽フェンス１０２が完成するのである。
【０００３】
しかるに、植物１３１が成長しフェンス１０２を覆うまでには長期間かかるため、それまでは植栽フェンスとしての機能を有せず、単なる金網が露出しているだけであるので景観が良くないという問題がある。
【先行技術文献】
【特許文献】
【０００４】
【特許文献１】特開平８−４２２０１号
【発明の概要】
【発明が解決しようとする課題】
【０００５】
本発明は上記事情に鑑み、金網にタイルを取り付けて、景観を良くするための金網用タイル取付部材、金網装飾タイルおよび、それにより装飾された植栽フェンスを提供することを目的とする。
【課題を解決するための手段】
【０００６】
第１発明の金網用タイル取付部材は、タイルを嵌め込む台座と金網線材を係止する爪とからなり、前記爪は前記台座の背面に設けられていることを特徴とする。
第２発明の金網用タイル取付部材は、第１発明において、前記爪の上端が前記台座背面に結合され、下方に開口しており、前記爪の下端、もしくは該下端に対向する台座背面、もしくは該下端と該台座背面の両方に、金網線材係止用の突起が設けられており、前記爪は前記台座の上縁に設けられた上爪と、下縁に設けられた下爪とからなり、前記上爪は上下方向に長尺であり、前記下爪は上下方向に短尺であることを特徴とする。
第３発明の金網用タイル取付部材は、第２発明において、前記台座の背面側部に、金網線材に当接するピンが設けられていることを特徴とする。
第４発明の金網用タイル取付部材は、第３発明において、前記台座が矩形であり、前記台座の背面上縁に前記上爪が２つ設けられており、前記台座の背面下縁に前記下爪が２つ設けられており、前記台座の背面側部に前記ピンが左右２つずつ設けられていることを特徴とする。
第５発明の金網用タイル取付部材は、第１発明において、前記台座が矩形であり、前記台座の四隅の角が取れていることを特徴とする。
【発明の効果】
【０００７】
第１発明によれば、タイルを嵌め込んだ台座を金網に取り付けることができるので、タイルの意匠効果により金網の景観を良くすることができる。また、台座は金網の任意の位置に取り付けることができるので、金網にタイルによるデザインを施すことができる。
第２発明によれば、まず上爪に金網線材を嵌め込み、ついで下爪に金網線材を嵌め込むことで台座を金網に取り付けることができるので、一度に全ての爪を嵌め込まなくて良いので、台座を金網に取り付ける作業が容易である。また、上爪は長く、撓み易いため、金網線材に嵌め込みやすく、取付位置がずれていた場合にも取り外しやすいため、作業のやり直しが容易に行える。下爪は短く、撓み難いため、金網線材を強固に係止することができる。
第３発明によれば、側部のピンが金網線材に当接するので、金網に取り付けた台座が横方向にずれないように固定することができる。また、台座を金網に取り付ける際に、台座の横方向の位置をガイドすることができる。
第４発明によれば、台座が矩形であり、上爪および下爪で金網の横線材を係止し、ピンが金網の縦線材に当接するので、縦線材および横線材により形成された格子状の金網に取り付ける金網用タイル取付部材として好適である。
第５発明によれば、台座の四隅の角が取れているため、角が邪魔にならず、台座を斜め方向に連接して取り付けることができる。
【図面の簡単な説明】
【０００８】
【図１】本発明の一実施形態に係る金網用タイル取付部材Ａの正面図である。
【図２】同金網用タイル取付部材Ａの背面図である。
【図３】同金網用タイル取付部材Ａの側面図である。
【図４】図２におけるIVａ‐IVａ線断面図およびIVｂ−IVｂ線断面図である。
【図５】図２におけるＶ‐Ｖ線断面図である。
【図６】金網装飾タイルＢの金網Ｃへの取付方法の説明図である。
【図７】金網装飾タイルＢを金網Ｃに取り付けた際の背面図である。
【図８】金網装飾タイルＢを金網Ｃに取り付けた際の正面図である。
【図９】従来技術の植栽フェンスの外観図である。
【発明を実施するための形態】
【０００９】
つぎに、本発明の実施形態を図面に基づき説明する。
（タイル取付部材の実施形態）
本発明の金網用タイル取付部材Ａは立体的形状に特徴があるので、以下図１〜図５に基づき説明する。
【００１０】
図１に示すように、金網用タイル取付部材Ａは正面視矩形をしており、その四隅の角が取れ、傾斜している。金網用タイル取付部材Ａの正面はタイルを嵌め込む台座１０となっている。また図２に示すように、台座１０の背面には、金網線材を係止するための上爪２０および下爪３０と、金網線材に当接するためのピン４０が設けられている。上爪２０は台座１０の背面上縁の２ヶ所に設けられており、下爪３０は台座１０の背面下縁の２ヶ所に設けられている。一方ピン４０は台座１０の背面側部に左右に２つずつ設けられている。
図７は金網用タイル取付部材Ａを用いた金網装飾タイルＢを金網Ｃに取り付けた際の背面図である。後述するように、ピン４０を金網Ｃの隣接する２本の縦線材５２の間に嵌め込み、上爪２０および下爪３０で金網Ｃの横線材５１を係止することにより、金網用タイル取付部材Ａが金網Ｃに固定される。そのため、上爪２０、下爪３０、ピン４０は取り付ける金網Ｃの格子の大きさと合わせて設けられる必要がある。
なお、本実施形態では、上爪２０および下爪３０を２つずつ、ピン４０を左右に２つずつ設ける形態としたが、これに限られず、金網用タイル取付部材Ａの大きさに合わせて、金網用タイル取付部材Ａを金網Ｃに取り付けた際に十分に固定されるように、その構成を変更してもよい。
【００１１】
図３に示すように、上爪２０および下爪３０はその上端が台座１０の背面に結合され、下方が開口している。また、上爪２０および下爪３０の下端に対向する台座１０の背面には金網線材係止用の突起２１、３１がそれぞれ設けられている。上爪２０および下爪３０と突起２１、３１の下端は、それぞれが下方に開くように傾斜しており、金網線材が下方から挿入しやすくなっている。一方突起２１、３１の上端は傾斜しておらず、金網線材が下方に抜けづらくなっている。
本実施形態において、突起２１、３１は台座１０の背面に設けたが、これに限らず、上爪２０および下爪３０の下端に、もしくはその下端と台座１０の背面の両方に設けても良い。
【００１２】
後述するとおり、金網用タイル取付部材Ａを金網Ｃに取り付けるには、上爪２０と下爪３０に金網Ｃの横線材５１を挿入することで行われる。下爪３０の上下方向の寸法は、その横線材５１の太さと同程度とし、横線材５１を挿入した際に上下方向にがたつくことがないようにすることが好ましい。一方上爪２０は下爪３０に比べて長尺となっている。
また、上爪２０および下爪３０と台座１０との間の隙間は、挿入する横線材５１の太さと同程度とすることが好ましい。隙間が横線材５１の太さよりも狭い場合、横線材５１を挿入することができず、逆に隙間が広い場合には、取り付け後の金網用タイル取付部材Ａが前後方向にがたつく。
【００１３】
図３に示すように、ピン４０の高さは上爪２０および下爪３０よりも高い。図６（４）は金網用タイル取付部材Ａの金網Ｃに取り付けた後の側面図である。金網Ｃは横線材５１の背部に縦線材５２が接合されることにより形成されるが、ピン４０は横線材５１よりも背部の縦線材５２に当接する必要がある。そのためピン４０の高さは上爪２０および下爪３０よりも縦線材５２の太さだけ高くすることが好ましい。
また、図５に示すように、ピン４０の先端はそれぞれ台座１０の外方面が傾斜して２本の縦線材５２，５２の間に挿入しやすくなっている。
【００１４】
図４および図５に示すように、台座１０はタイル１２を嵌め込むことができるように、タイル１２の形状に合わせて凹んだ形状をしている。また、台座１０の座面には横方向に延びる薄溝１１が複数本設けられている（図１および図４参照）。タイルは接着剤で台座１０に接着されるが、この薄溝１１は接着剤を均一な厚さにするために設けられている。すなわち、座面が平坦である場合、接着剤を塗ったときに厚みに偏りができてタイルが傾いて接着される恐れがあるが、薄溝１１があることにより、薄溝１１内に接着剤が逃げていき、座面全体の接着剤の厚さが均一になる。このため、タイルが傾かずに接着できる。
【００１５】
（金網装飾タイルの実施形態）
図５に示すように、上記に説明した金網用タイル取付部材Ａの台座１０にタイル１２を取付けると金網装飾タイルＢが出来上がる。タイル１２の表面は任意のデザインを施したものでよい。
この金網装飾タイルＢを金網Ｃに取付けると、装飾された金網となる。
【００１６】
つぎに、金網装飾タイルＢの金網Ｃへの取付方法について説明する。
金網装飾タイルＢの金網Ｃへの取り付けは、図６に示す（１）〜（４）のステップで行われる。
【００１７】
（１）まず、金網装飾タイルＢを金網Ｃの目的の位置に充てがう。ピン４０の高さは上爪２０および下爪３０よりも高いので、最初にピン４０が縦線材５２に接することになる。そのため、ピン４０により金網装飾タイルＢの横方向の位置をガイドすることができる。また、ピン４０の先端はそれぞれ台座１０の側面に向かって傾斜しているため、隣接する２本の縦線材５２の間に挿入し易い。
【００１８】
（２）つぎに、上爪２０を横線材５１の上に置く。上爪２０は下爪３０よりも長尺であるため、下爪３０はその下方にある横線材５１から離れた状態となる。これは仮位置決めの段階であり、例えば図７のように、タイルで金網Ｃにデザインを施す場合に、仮位置決めの状態で全体のバランスを見ることができる。
【００１９】
（３）つぎに、金網装飾タイルＢを下方へ押し下げる。そうすると横線材５１が上爪２０を押し広げて、突起２１を乗り越えて、上爪２０内へ嵌る。上爪２０は長尺であり、撓み易いため、軽い力で押し下げることにより横線材５１が上爪２０を押し広げることができ、嵌め込み易い。この段階では、金網装飾タイルＢの取付位置がずれていた場合にも取り外しやすいため、作業のやり直しが容易に行える。なお、この段階では、まだ下爪３０に横線材５１は嵌め込まれておらず、下爪３０のすぐ下方に横線材５１が位置している状態である。上爪２０内に嵌め込まれた横線材５１も上爪２０の下端に位置している状態である。
【００２０】
（４）最後に、金網装飾タイルＢをさらに下方へ押し下げる。そうすると下爪３０の下方に位置していた横線材５１が下爪３０を押し広げて、突起３１を乗り越えて、下爪３０内へ嵌る。このときに、上爪２０内に嵌め込まれた横線材５１が上爪２０の上端に位置する。下爪３０は短尺であり、撓み難いため、横線材５１を強固に係止することができる。また、まず上爪２０に横線材５１を嵌め込み、ついで下爪３０に横線材５１を嵌め込むというように、一度に全ての爪を嵌め込まなくて良いので、金網装飾タイルＢを金網Ｃに取り付ける作業が容易である。
【００２１】
以上の手順を繰り返し、複数枚の金網装飾タイルＢを金網Ｃに取り付けると、図７に示すような状態となる。図７に示すように、上爪２０と下爪３０が上下に隣接する２本の横線材５１を係止し、ピン４０が左右に隣接する２本の縦線材５２の内側に当接することで、金網装飾タイルＢが上下方向にも横方向にも動かないように固定される。
【００２２】
また、図８に示すように、台座１０の四隅の角が取れているため、角が邪魔にならず、金網装飾タイルＢを斜め方向に連接して取り付けることができる。そのため、タイルによるデザインの幅が広がる。
【００２３】
（植栽フェンスの実施形態）
以上のとおり、金網装飾タイルＢを金網Ｃに取り付けると、図８に示すように、タイルの意匠効果により金網Ｃの景観を良くすることができる。また、金網装飾タイルＢは金網Ｃの任意の位置に取り付けることができるので、金網Ｃにタイルによるデザインを施すことができる。
そのため、植栽フェンスに金網装飾タイルＢを取り付けた場合には、植物が成長途中であったとしても単なる金網が露出している状態とはならず、景観を良くすることができる。もちろん、植栽フェンス以外に使用してもよく、金網にタイルを取り付けて飾りとして使用してもよい。
【符号の説明】
【００２４】
Ａ    金網用タイル取付部材
Ｂ    金網装飾タイル
１０  台座
１１  薄溝
２０  上爪
２１  突起
３０  下爪
３１  突起
４０  ピン
【図１】
2010168784.tif 000003
【図２】
2010168784.tif 000004
【図３】
2010168784.tif 000005
【図４】
2010168784.tif 000006
【図５】
2010168784.tif 000007
【図６】
2010168784.tif 000008
【図７】
2010168784.tif 000009
【図８】
2010168784.tif 000010
【図９】
2010168784.tif 000011